(57)【要約】【課題】  製造コストを抑制できるとともに、体毛を確実に短く剃ることができる電気かみそりを提供する。【解決手段】本発明に係る電気かみそり１は、内刃５０と協働して肌表面Ｓの体毛を剃るとともに、肌表面Ｓに接触する外刃４０を備える。外刃４０は、外刃４０の延在方向Ｙに直交する直交方向Ｘに回転する筒状の回転外刃１００である。【選択図】図３
2013063231.tif 000002
【特許請求の範囲】
【請求項１】
内刃と協働して肌表面の体毛を剃るとともに、前記肌表面に接触する外刃を備える電気かみそりであって、
前記外刃は、前記外刃の延在方向に直交する方向に回転する筒状の回転外刃であることを特徴とする電気かみそり。
【請求項２】
請求項１に記載の電気かみそりであって、
前記外刃は、複数設けられており、
前記回転外刃は、複数の前記外刃のうちの少なくとも１つであるとともに、他の前記外刃よりも前記肌表面側に突出した状態で設けられることを特徴とする電気かみそり。
【請求項３】
請求項１又は請求項２に記載の電気かみそりであって、
前記回転外刃は、前記肌表面に向かう方向に沿って移動することを特徴とする電気かみそり。
【請求項４】
請求項１乃至請求項３の何れかに記載の電気かみそりであって、
前記回転外刃の径は、前記外刃の延在方向に対して均一であることを特徴とする電気かみそり。
【請求項５】
請求項１乃至請求項３の何れかに記載の電気かみそりであって、
前記回転外刃の径は、前記外刃の延在方向に対して不均一であることを特徴とする電気かみそり。
【請求項６】
請求項１乃至請求項５の何れかに記載の電気かみそりであって、
前記回転外刃は、２つの第１回転外刃と第２回転外刃とを有し、
前記第１回転外刃は、前記第２回転外刃とともに前記外刃の剃り方向に対する逆方向に向かって回転することを特徴とする電気かみそり。
【請求項７】
請求項１乃至請求項５の何れかに記載の電気かみそりであって、
前記回転外刃は、２つの第１回転外刃と第２回転外刃とを有し、
前記第１回転外刃は、前記第２回転外刃と逆方向に回転することを特徴とする電気かみそり。
【請求項８】
請求項１乃至請求項７の何れかに記載の電気かみそりであって、
前記回転外刃は、前記回転外刃を貫通する複数の穴が形成されるネット状の筒状体であることを特徴とする電気かみそり。
【請求項９】
請求項１乃至請求項７の何れかに記載の電気かみそりであって、
前記回転外刃は、前記回転外刃の外周に沿う溝が形成されるスリット状の筒状体であることを特徴とする電気かみそり。
【発明の詳細な説明】
【技術分野】
【０００１】
本発明は、電気かみそりに関する。
【背景技術】
【０００２】
従来から、刃部を肌表面に押し当てながら移動させる際に、刃部と肌表面との間の摩擦力（刃部を構成する外刃表面が肌表面に及ぼす摩擦力）を低減させる電気かみそりについて、様々な提案がなされている。
【０００３】
例えば、肌表面に接触しながら、外刃の延在方向に直交する直交方向に対して回転する回転体を備えた電気かみそりが知られている（例えば、特許文献１参照）。この回転体は、外刃よりも肌表面側に突出し、スプリング（弾性体）によって支持されている。これにより、回転体がスプリングにより肌表面に押し付けられて回転するため、外刃と肌表面との間の摩擦力を低減できる。
【先行技術文献】
【特許文献】
【０００４】
【特許文献１】特開２００９−２３２８９４号公報（第２〜第３頁、第１及び第２図）
【発明の概要】
【発明が解決しようとする課題】
【０００５】
しかしながら、上述した従来の電気かみそりでは、摩擦力を低減させるために、回転体及びスプリングが必要であるため、製造コストの増大を招いてしまう。
【０００６】
加えて、従来の電気かみそりでは、外刃よりも肌表面側に突出した回転体がスプリングにより常に肌表面に押し付けられるため、外刃が肌表面に加わる力が不十分であった。このため、体毛を短く剃ること（いわゆる、深剃り）については未だ改善の余地があるのが現状である。
【０００７】
そこで、本発明は、製造コストを抑制できるとともに、体毛を確実に短く剃ることができる電気かみそりの提供を目的とする。
【課題を解決するための手段】
【０００８】
上述した課題を解決するため、本発明は、次のような特徴を有している。まず、本発明の第１の特徴は、内刃と協働して肌表面の体毛を剃るとともに、前記肌表面に接触する外刃を備える電気かみそりであって、前記外刃は、前記外刃の延在方向に直交する方向に回転する筒状の回転外刃であることを要旨とする。
【０００９】
かかる特徴によれば、外刃は、外刃の延在方向に直交する方向に回転する筒状の回転外刃である。これにより、従来のように回転体を別途設けることなく、回転外刃自体によって外刃と肌表面との間の摩擦力を低減でき、肌の保護を実現できる。従って、摩擦力を低減させるために、従来のような回転体及びスプリングを別途設けることなく、製造コストを抑制できる。
【００１０】
また、内刃が回転外刃と協働して体毛を剃る。これにより、従来のような回転体が肌表面に干渉して体毛が剃りにくくなることを防止できる。このため、回転外刃自体で体毛を剃れ、外刃と肌表面との間の摩擦力を低減しつつ、体毛を確実に短く剃ること（いわゆる、深剃り）もできる。
【００１１】
本発明の第２の特徴は、本発明の第１の特徴に係り、前記外刃は、複数設けられており、前記回転外刃は、複数の前記外刃のうちの少なくとも１つであるとともに、他の前記外刃よりも前記肌表面側に突出した状態で設けられることを要旨とする。
【００１２】
かかる特徴によれば、回転外刃は、他の外刃よりも肌表面側に突出した状態で設けられる。これにより、回転外刃が常に肌表面に接するため、外刃と肌表面との間の摩擦力を常に低減できる。
【００１３】
本発明の第３の特徴は、本発明の第１又は第２の特徴に係り、前記回転外刃は、前記肌表面に向かう方向に沿って移動することを要旨とする。
【００１４】
かかる特徴によれば、回転外刃は、肌表面に向かう方向（いわゆる、電気かみそりの上下方向）に沿って移動する。これにより、回転外刃が肌表面に押し付けられると、使用者の押付力に対応して回転外刃の位置が変化する。このため、外刃と肌表面との間の摩擦力の低減と、体毛を確実に短く剃ること（いわゆる、深剃り）とを両立し易くなる。
【００１５】
本発明の第４の特徴は、本発明の第１乃至第３の特徴に係り、前記回転外刃の径は、前記外刃の延在方向に対して均一であることを要旨とする。
【００１６】
かかる特徴によれば、回転外刃の径は、外刃の延在方向に対して均一である。これにより、回転外刃を成形する加工が複雑になることなく、製造コストをさらに抑制できる。
【００１７】
本発明の第５の特徴は、本発明の第１乃至第３の特徴に係り、前記回転外刃の径は、前記外刃の延在方向に対して不均一であることを要旨とする。
【００１８】
かかる特徴によれば、回転外刃の径は、外刃の延在方向に対して不均一である。これにより、外刃の形状に合わせて回転外刃を成形することによって、様々な外刃の形状に対応できるため、回転外刃の汎用性が増大するとともに、肌表面（例えば、あご下）にフィットし易くすることができる。
【００１９】
本発明の第６の特徴は、本発明の第１乃至第５の特徴に係り、前記回転外刃は、少なくとも２つの第１回転外刃と第２回転外刃とを有し、前記第１回転外刃は、前記第２回転外刃とともに前記外刃の剃り方向に対する逆方向に向かって回転することを要旨とする。
【００２０】
かかる特徴によれば、第１回転外刃は、第２回転外刃とともに外刃の剃り方向に対する逆方向（自然に転がる方向）に向かって回転する。これにより、外刃の延在方向に直交する直交方向に往復して体毛を剃る場合（いわゆる、往復剃りの場合）、外刃と肌表面との間の摩擦力をより低減できる。
【００２１】
本発明の第７の特徴は、本発明の第１乃至第５の特徴に係り、前記回転外刃は、少なくとも２つの第１回転外刃と第２回転外刃とを有し、前記第１回転外刃は、前記第２回転外刃と逆方向に回転することを要旨とする。
【００２２】
かかる特徴によれば、第１回転外刃は、第２回転外刃と逆方向に回転する。これにより、肌表面の凹凸を平らにした状態（引き延ばした状態）で、体毛を確実に剃ることできる。このため、外刃に形成される刃穴に肌が入り込むことなく、肌の保護（いわゆる、肌ヒリツキの低減）を実現できる。
【００２３】
本発明の第８の特徴は、本発明の第１乃至第７の特徴に係り、前記回転外刃は、前記回転外刃を貫通する複数の穴が形成されるネット状の筒状体であることを要旨とする。
【００２４】
かかる特徴によれば、回転外刃は、ネット状の筒状体である。これにより、回転外刃と肌表面との接触部位が変化し、回転外刃の長寿命化を実現できる。
【００２５】
本発明の第９の特徴は、本発明の第１乃至第７の特徴に係り、前記回転外刃は、前記回転外刃の外周に沿う溝が形成されるスリット状の筒状体であることを要旨とする。
【００２６】
かかる特徴によれば、回転外刃は、スリット状の筒状体である。これにより、長い体毛を引き込むことができ、体毛を剃る時間の短縮に寄与する。このため、外刃と肌表面との間の摩擦力の低減のみならず、早剃り効果による肌の保護をも実現できる。
【発明の効果】
【００２７】
本発明の特徴によれば、製造コストを抑制できるとともに、体毛を確実に短く剃ることができる電気かみそりを提供することができる。
【図面の簡単な説明】
【００２８】
【図１】第１実施形態に係る電気かみそり１を示す斜視図である。
【図２】第１実施形態に係る刃部３０を示す斜視図である。
【図３】第１実施形態に係る刃部３０を示す断面図である。
【図４】第１実施形態に係る回転外刃１００を示す斜視図・正面図である。
【図５】第２実施形態に係る刃部３０を示す断面図である。
【図６】第３実施形態に係る回転外刃１００を示す正面図である。
【図７】第４実施形態に係る刃部３０を示す断面図である（その1）。
【図８】第４実施形態に係る刃部３０を示す断面図である（その２）。
【図９】第４実施形態に係る回転外刃１００のみを示す模式図である。
【図１０】第５実施形態に係る回転外刃１００を示す斜視図である。
【発明を実施するための形態】
【００２９】
次に、本発明に係る電気かみそりの実施形態について、図面を参照しながら説明する。具体的には、（１）第１実施形態、（２）第２実施形態、（３）第３実施形態、（４）第４実施形態、（５）第５実施形態、（６）その他の実施形態について説明する。
【００３０】
なお、以下の図面の記載において、同一または類似の部分には、同一または類似の符号を付している。ただし、図面は模式的なものであり、各寸法の比率などは現実のものとは異なることに留意すべきである。
【００３１】
したがって、具体的な寸法などは以下の説明を参酌して判断すべきである。また、図面相互間においても互いの寸法の関係や比率が異なる部分が含まれ得る。
【００３２】
（１）第１実施形態
（電気かみそりの全体構成）
まず、第１実施形態に係る電気かみそり１の構成について、図面を参照しながら説明する。図１は、第１実施形態に係る電気かみそり１を示す斜視図である。図２は、第１実施形態に係る刃部３０を示す斜視図である。図３（ａ）は、図２のＡ−Ａ断面図であり、図３（ｂ）は、図２のＢ−Ｂ断面図である。図４（ａ）は、第１実施形態に係る回転外刃１００を示す斜視図であり、図４（ｂ）は、第１実施形態に係る回転外刃１００を示す正面図（直交方向Ｘからの矢視図）である
図１に示すように、電気かみそり１は、使用者が把持するグリップ部１０と、グリップ部１０に連結されるヘッド部２０とによって大略構成されている。
【００３３】
グリップ部１０には、電気かみそり１を動作させる（電源をオン、オフさせる）押圧式のスイッチ１１が設けられている。ヘッド部２０は、グリップ部１０に取り付けられるヘッド本体２１と、ヘッド本体２１に着脱自在に装着される刃ヘッドハウジング２２とを備えている。
【００３４】
刃ヘッドハウジング２２には、使用者の肌表面Ｓ（図９参照）から伸びる体毛を処理する刃部３０が取り付けられる。
【００３５】
図２及び図３に示すように、刃部３０は、ヘッド部２０の上方に露出して肌表面Ｓに接触する複数の外刃４０と、それぞれの外刃４０の内側（外刃４０の内方）に位置する内刃５０とを備えている。
【００３６】
外刃４０は、外刃カセット４１に支持されており、この外刃カセット４１は、上部が開口する略箱状の刃保持枠４２に固定されている。外刃４０は、外刃４０の延在方向Ｙ（いわゆる、左右方向）と直交する直交方向Ｘ（いわゆる、前後方向や剃り方向）に複数（５枚）並設される。具体的には、外刃４０として、前方（図２の手前側）から後方（図２の奥側）に向かって、ネット刃４０Ａ，４０Ｂ、スリット刃４０Ｓ、ネット刃４０Ｃ、回転外刃１００が並設されている。
【００３７】
これらのネット刃４０Ａ〜４０Ｃは、いずれも、図３（ａ）に示すように、電気かみそり１の側面視（外刃４０の延在方向Ｙから視た状態）で上方が凸となるように逆Ｕ字状に湾曲して形成されている。また、ネット刃４０Ａ〜４０Ｃは、電気かみそり１の正面視（直交方向Ｘから視た状態）で上方が凸となるように外刃４０の延在方向Ｙに沿って若干湾曲して形成されている（図１及び図２参照）。そして、ネット刃４０Ａ〜４０Ｃには、多数の刃穴（図示省略）が形成されている。
【００３８】
スリット刃４０Ｓは、直交方向Ｘに沿ってＵ字状に湾曲して形成されており、平坦な上壁から側壁に至る多数のスリット（図示省略）を穿設することで形成されている。
【００３９】
回転外刃１００は、図３及び図４に示すように、複数の外刃４０のうちの１つであるとともに、外刃４０の延在方向Ｙに直交する直交方向Ｘに回転する。回転外刃１００は、他の外刃（ネット刃３１Ａ〜３１Ｃ及びスリット刃３１Ｓ）よりも肌表面Ｓ側に突出した状態で設けられる。また、回転外刃１００は、回転外刃１００の回動中心となる回転外刃軸１０１を介して刃保持枠４２の側壁に取り付けられている。
【００４０】
回転外刃１００は、図４（ａ）に示すように、回転外刃１００を貫通する複数の穴１０２が形成されるネット状の筒状体である。また、回転外刃１００の径は、図４（ａ）及び図４（ｂ）に示すように、外刃４０の延在方向Ｙに対して均一である。
【００４１】
内刃５０は、外刃４０を構成する各ネット刃４０Ａ〜４０Ｃ、スリット刃４０Ｓ及び回転外刃１００に対して専用のものが設置されている。内刃５０は、内刃カセット５１に支持され、内刃カセット５１は、駆動部（不図示）に連結されて刃保持枠４２の底面に形成される長孔（不図示）内を挿通する駆動軸６０に連結されている。なお、内刃５０と駆動軸６０との間には、内刃５０を外刃４０の内面に押し付けるスプリング７０を介装されている。
【００４２】
具体的には、図３に示すように、各ネット刃４０Ａ〜４０Ｃ、スリット刃４０Ｓの下方（内方）には、対応するネット刃４０Ａ〜４０Ｃの湾曲に沿う逆Ｕ字状の内刃５０Ａ〜５０Ｄがそれぞれ配設されている。これら内刃３２Ａ〜３２Ｄは、各ネット刃４０Ａ〜４０Ｃ、スリット刃４０Ｓの内面に押し付けられた状態で、各ネット刃４０Ａ〜４０Ｃ、スリット刃４０Ｓに対して相対移動（外刃４０の延在方向Ｙに往復動）できるようになっている。
【００４３】
回転内刃２００は、回転内刃２００は、回転外刃１００の内周面の少なくとも一部（先端）に接した状態で設けられている。回転内刃２００は、振動型リニアアクチュエータ８０によって、回転外刃１００に対して相対移動（外刃４０の延在方向Ｙに往復動）できるようになっている。
【００４４】
振動型リニアアクチュエータ８０は、回転内刃２００の駆動源であるとともに、刃保持枠４２内に搭載されている。振動型リニアアクチュエータ８０は、コア９１及びコイル９２とからなる電磁石９３を備えた電磁コアブロック９０と、永久磁石２１０を備えて電磁コアブロック９０に対して移動可能に対向配置された可動子としての回転内刃２００とによって構成される。
【００４５】
回転内刃２００には、バネ性を有する共振バネ部材２１１が連結されている。共振バネ部材２１１は、回転内刃２００の両端から刃保持枠４２の側壁までを繋ぐように設けられている。
【００４６】
このような振動型リニアアクチュエータ８０は、電磁コアブロック９０における電磁石９３の磁極面と、回転内刃２００における永久磁石２１０とのギャップを一定に保持しつつ、電磁石９３に交互方向の電流を供給することによって、回転外刃１００の内周側において回転内刃２００を外刃４０の延在方向Ｙに往復動させる。
【００４７】
このように、電気かみそり１では、上述した刃穴やスリット、穴１０２に入り込んだ体毛を、回転内刃２００を含む内刃５０が回転外刃１００を含む外刃４０に対して相対移動（外刃４０の延在方向Ｙに往復動）することによって、これらの内刃５０と外刃４０とが協働して体毛を切断する。
【００４８】
（作用・効果）
以上説明した第１実施形態では、複数の外刃４０のうち少なくとも１つは、外刃４０の延在方向に直交する方向に回転する筒状の回転外刃１００である。これにより、従来のように回転体を別途設けることなく、回転外刃１００自体によって外刃４０と肌表面Ｓとの間の摩擦力を低減でき、肌の保護を実現できる。従って、摩擦力を低減させるために、従来のような回転体及びスプリングを別途設けることなく、製造コストを抑制できる。
【００４９】
また、内刃５０（回転内刃２００）が回転外刃１００と協働して体毛を剃る。これにより、従来のような回転体が肌表面Ｓ（例えば、あご下など）に干渉して体毛が剃りにくくなることを防止できる。このため、回転外刃１００自体で体毛を剃れ、外刃４０と肌表面Ｓとの間の摩擦力を低減しつつ、体毛を確実に短く剃ること（いわゆる、深剃り）もできる。
【００５０】
第１実施形態では、回転外刃１００は、他の外刃４０よりも肌表面Ｓ側に突出した状態で設けられる。これにより、回転外刃１００が常に肌表面Ｓに接するため、外刃４０と肌表面Ｓとの間の摩擦力を常に低減できる。
【００５１】
第１実施形態では、回転外刃１００の径は、外刃４０の延在方向Ｙに対して均一である。これにより、回転外刃１００を成形する加工が複雑になることなく、製造コストをさらに抑制できる。
【００５２】
第１実施形態では、回転外刃１００は、ネット状の筒状体である。これにより、回転外刃１００と肌表面Ｓとの接触部位が変化し、回転外刃１００の長寿命化を実現できる。
【００５３】
（２）第２実施形態
次に、第２実施形態に係る電気かみそり１について、図面を参照しながら説明する。図５は、第２実施形態に係る刃部３０を示す断面図（図２のＢ−Ｂ断面図に相当）である。なお、上述した第１実施形態に係る電気かみそり１と同一部分には同一の符号を付して、相違する部分を主として説明する。
【００５４】
上述した第１実施形態では、回転外刃１００は、他の外刃４０（ネット刃４０Ａ〜４０Ｃ及びスリット刃４０Ｓ）よりも肌表面Ｓ側に突出している。これに対して、第２実施形態では、回転外刃１００は、肌表面Ｓに向かう方向、言い換えると、肌表面Ｓ側から刃部３０の内部に向かう方向（いわゆる、電気かみそり１の上下方向）に沿って移動する。
【００５５】
具体的には、図５に示すように、回転外刃１００が取り付けられる刃保持枠４２は、刃ヘッドハウジング２２に対して上下方向に移動可能である。刃保持枠４２の下面と刃ヘッドハウジング２２から突出する載置部２２Ａとの間には、弾性変形するサスペンション３００が設けられる。つまり、刃保持枠４２は、サスペンション３００によって支持されている。これにより、刃保持枠４２に取り付けられた回転外刃１００は、上下方向に移動可能となる。
【００５６】
このような第２実施形態では、回転外刃１００は、肌表面Ｓに向かう方向（いわゆる、電気かみそり１の上下方向）に沿って移動する。これにより、回転外刃１００が肌表面Ｓに押し付けられると、使用者の押付力に対応して回転外刃１００の位置が変化する。このため、外刃４０と肌表面Ｓとの間の摩擦力の低減と、体毛を確実に短く剃ること（いわゆる、深剃り）とを両立し易くなる。
【００５７】
ここで、回転外刃１００は、サスペンション３００によって必ずしも常に上下方向に移動するものに限らず、例えば、回転外刃１００の高さ（すなわち、回転外刃１００の上下方向に対する位置）を段階的に固定するロック機構がさらに設けられていてもよい。これにより、使用者の好みに応じて、回転外刃１００の高さを調整できる。
【００５８】
（３）第３実施形態
次に、第３実施形態に係る電気かみそり１について、図面を参照しながら説明する。図６は、第３実施形態に係る回転外刃１００を示す正面図（直交方向Ｘからの矢視図）である。なお、上述した第１，第２実施形態に係る電気かみそり１と同一部分には同一の符号を付して、相違する部分を主として説明する。
【００５９】
上述した第１，第２実施形態では、回転外刃１００の径は、外刃４０の延在方向Ｙに対して均一である。これに対して、第３実施形態では、回転外刃１００の径は、外刃４０の延在方向Ｙに対して不均一である。
【００６０】
具体的には、図６に示すように、回転外刃１００の径は、電気かみそり１の正面視（直交方向Ｘから視た状態）において、中央部の方が端部よりも大きくなっている。これにより、回転外刃１００の外輪郭は、電気かみそり１の正面視（直交方向Ｘから視た状態）で中央が凸となるように緩やかに湾曲している。
【００６１】
このような第３実施形態では、回転外刃１００の径は、外刃４０の延在方向Ｙに対して不均一である。これにより、外刃４０の形状に合わせて回転外刃１００を成形することによって、様々な外刃４０の形状に対応できるため、回転外刃１００の汎用性が増大するとともに、肌表面Ｓ（例えば、あご下）にフィットし易くすることができる。
【００６２】
（４）第４実施形態
次に、第４実施形態に係る電気かみそり１について、図面を参照しながら説明する。図７及び図８は、第４実施形態に係る刃部３０を示す断面図（図２のＡ−Ａ断面図に相当）である。図９は、第４実施形態に係る回転外刃１００のみを示す模式図である。なお、上述した第１〜第３実施形態に係る電気かみそり１と同一部分には同一の符号を付して、相違する部分を主として説明する。
【００６３】
上述した第１〜第３実施形態では、回転外刃１００は、ネット刃４０Ｃの直交方向Ｘ外側に１つ隣接されている。これに対して、第４実施形態では、回転外刃１００は、２つの第１回転外刃１１０と第２回転外刃１２０とを有している。
【００６４】
具体的には、図６に示すように、第１回転外刃１１０は、ネット刃４０Ａとスリット刃４０Ｓとの間に設けられ、第２回転外刃１２０は、スリット刃４０Ｓとネット刃４０Ｃとの間に設けられている。第１回転外刃１１０は、第２回転外刃１２０とともに外刃４０の剃り方向に対する逆方向（自然に転がる方向）に向かって回転する。すなわち、第１回転外刃１１０は、第２回転外刃１２０と同一方向に回転する。なお、第１回転外刃１１０及び第２回転外刃１２０の内側には、上述した回転内刃２００がそれぞれ設けられている。
【００６５】
このような第４実施形態では、第１回転外刃１１０は、第２回転外刃１２０とともに外刃４０の剃り方向に対する逆方向に向かって回転する。これにより、外刃４０の延在方向Ｙに直交する直交方向Ｘに往復して体毛を剃る場合（いわゆる、往復剃りの場合）、外刃４０と肌表面Ｓとの間の摩擦力をより低減できる。
【００６６】
ここで、第１回転外刃１１０は、必ずしも第２回転外刃１２０と同一方向に回転する必要はなく、図８に示すように、モータ等の制御によって第２回転外刃１２０と逆方向に回転してもよい。この場合、図９に示すように、肌表面Ｓの凹凸を平らにした状態（引き延ばした状態）で、体毛を確実に剃ることできる。このため、外刃４０に形成される刃穴に肌が入り込むことなく、肌の保護（いわゆる、肌ヒリツキの低減）を実現できる。
【００６７】
また、回転外刃１００は、必ずしも２つの第１回転外刃１１０と第２回転外刃１２０とによって構成される必要はなく、例えば、３つや４つの回転外刃によって構成されていてもよいことは勿論である。
【００６８】
（５）第５実施形態
次に、第５実施形態に係る電気かみそり１について、図面を参照しながら説明する。図１０は、第５実施形態に係る回転外刃１００を示す斜視図である。なお、上述した第１〜第４実施形態に係る電気かみそり１と同一部分には同一の符号を付して、相違する部分を主として説明する。
【００６９】
上述した第１〜第４実施形態では、回転外刃１００は、複数の穴１０２が形成されるネット状の筒状体である。これに対して、第５実施形態では、回転外刃１００は、回転外刃１００の外周に沿う溝１０３が形成されるスリット状の筒状体である。
【００７０】
具体的には、図１０に示すように、溝１０３は、回転外刃１００の外周において螺旋状に形成されている。なお、第５実施形態では、回転内刃２００についても、回転外刃１００と同様に、螺旋状の溝２０１が形成されるスリット状の筒状体である。
【００７１】
以上説明した第５実施形態では、回転外刃１００は、スリット状の筒状体である。これにより、長い体毛を引き込むことができ、体毛を剃る時間の短縮に寄与する。このため、外刃４０と肌表面Ｓとの間の摩擦力の低減のみならず、早剃り効果による肌の保護をも実現できる。
【００７２】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７３】
例えば、本発明の実施形態は、次のように変更することができる。具体的には、電気かみそり１は、上述した実施形態で説明したものに限定されるものではなく、少なくとも外刃４０及び内刃５０を備える電気かみそりであればよい。
【００７４】
また、回転外刃１００は、複数の外刃４０のうちの少なくとも１つであればよく、例えば、複数の外刃４０のうちの全ての外刃４０であってもよい。この場合、それぞれの外刃４０の内側には、回転内刃２００が設けられ、回転内刃２００は、振動型リニアアクチュエータ８０によって、回転外刃１００の内周に接した状態で、回転外刃１００に対して相対移動できるようになっていればよい。
【００７５】
また、回転内刃２００は、振動型リニアアクチュエータ８０によって回転外刃１００に対して相対移動できるものとして説明したが、これに限定されるものではなく、その他の機構によって回転外刃１００に対して相対移動できればよい。
【００７６】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７７】
１…電気かみそり
３０…刃部
４０…外刃
５０…内刃
１００…回転外刃
１１０…第１回転外刃
１２０…第２回転外刃
２００…回転内刃
【図１】
2013063231.tif 000003
【図２】
2013063231.tif 000004
【図３】
2013063231.tif 000005
【図４】
2013063231.tif 000006
【図５】
2013063231.tif 000007
【図６】
2013063231.tif 000008
【図７】
2013063231.tif 000009
【図８】
2013063231.tif 000010
【図９】
2013063231.tif 000011
【図１０】
2013063231.tif 000012